(57)【要約】 【課題】パターヘッドの中心が目標点とボールを結ぶ延長線上ならずれることなくストロークすうための練習器具を提供。【解決手段】長尺状の２つの後方脚部２ａ、２ｂを等辺とし、それら後方脚部２ａ、２ｂの一端同士を接続して頂点２ａｂ−１し、後方脚部２ａ、２ｂの他端を、夫々底辺端部2a-1、2b-1として二等辺三角形を構成する後方脚部２と、その頂点２ab-1と、底辺端部２ａ−１、２ｂ-１に、後方脚部が形成する二等辺三角形の面とは直角方向に、支持棒１と、長尺状の側面脚部３ａ、３ｂを相互に平行するように接続したパッティング練習器具。【選択図】図１
2011083422.tif 000002
【特許請求の範囲】
【請求項１】
長尺状の２つの後方脚部２ａ、２ｂを等辺とし、それら後方脚部２ａ、２ｂの一端同士を接続して頂点２ａｂ−１し、後方脚部２ａ、２ｂの他端を、夫々底辺端部２ａ−１、２ｂ−１として二等辺三角形を構成する後方脚部２と、その頂点２ａｂ−１と、底辺端部２ａ−１、２ｂ−１に、後方脚部が形成する二等辺三角形の面とは直角方向に、側面脚部３より長い支持棒１と、長尺状の側面脚部３ａ、３ｂを相互に平行するように接続したことを特徴とするパッティング練習器具。
【請求項２】
前記後方脚部２a、２bと、支持棒１をネジ部材４１で接続し、後方脚部２ａ、２ｂのなす頂角を調整し、クラブのパターヘッドの大きさに合わせて、側面脚部３ａ、３ｂ間の幅を伸縮させることが出来ることを特徴とする請求項１記載のパッティング練習器具。
【請求項３】
前記支持棒１の長さを側面脚部３ａ、３ｂより長くすることによりに、ストロークするときに、目標を捉えやすくしたことを特徴とする請求項１又は請求項２の何れかに記載のパッティング練習器具。
【請求項４】
前記後方脚部２a、２bと、側面脚部３a、３bにて支持棒１を支える事で、ボールを転がして、後方脚部の下から、側面脚部３a、３bの間に供給することが出来ることを特徴とする請求項１から請求項３の何れかに記載のパッティング練習器具。
【発明の詳細な説明】
【技術分野】
【０００１】
この発明はゴルフのパッティング練習に関するものである。
【背景技術】
【０００２】
パッティングはゴルフにおいてそのスコアを左右する重要なショットである。紐を使って行う練習はよく見られる。そのパッティング練習方法は、打ち出し方向の前後に1本ずつ棒をさし、1本の紐を2本の棒の上側に結び、その紐の真下にパターヘッドの中心が来るようアドレスし、その紐に沿ってストロークする。この練習方法ではストロークだけの改善は出来るが、打ち出し方向の棒がボールの転がりの妨げとなり、目標点までのボールの転がりを知ることが出来なく再現性が低くなる。
【先行技術文献】
【特許文献】
【０００３】
【特許文献１】特開平５−１７７０２３号公報
【発明の概要】
【発明が解決しようとする課題】
【０００４】
ゴルフにおいてストロークが重要なことは周知の事実である。パッティングのストロークでは、ボールの垂直線上に目が来るようにアドレスする、パターヘッドの中心が目標点とボ−ルを結ぶ延長線上からずれることなくストロークすることが重要とされている。何の目標もなしにいずれも行うことは困難である、このことからボールの垂直線上に目が来るようにアドレスする、パターヘッドの中心が目標点とボールを結ぶ延長線上ならずれることなくストロークすることを助けストローク修正を容易にする練習器具を提供する。
【課題を解決するための手段】
【０００５】
本発明は、長尺状の２つの後方脚部２ａ、２ｂを等辺とし、それら後方脚部２ａ、２ｂの一端同士をネジ部材４１で接続した接続部を頂点２ａｂ−１し、後方脚部２ａ、２ｂの他端を、夫々後方脚部底辺端部２ａ−１、２ｂ-１として、二等辺三角形を構成する後方脚部２と、
その頂点，２ａｂ−１と、後方脚部底辺端部２ａ−１、２ｂ-１に、後方脚部が構成する二等辺三角形の面に対して直角方向に、支持棒１と、長尺状の側面脚部３ａ、３ｂを相互に並行するように接続したパッティング練習器具であって、
側面脚部３ａと側面脚部３ｂのなす頂角を調整して、側面脚部３ａと側面脚部３ｂの開き具合を定めて、側面脚部を地面に置き、支持棒１がゴルフボールの飛ばす方向になるよう向きを定め、側面脚部３ａと側面脚部３ｂの間にボールを置き、パットヘッド７を側面脚部３ａと側面脚部３ｂに当たらないようにストロークすることによりパティングを練習するパティング練習器具５である。
このパティング練習器具５は、下記の構成上の特徴を有する。
・  目標に向かってボールを転がす為に、打ち出し方向には脚部を設けない。これにより、目標点に向かってボールを転がすことが出来る為、再現性も高くなる。
・  ストロークをする際にパターヘッドが側面脚部に当たる事でストロ―クのずれを認識しやすくする為に、後方脚部２ａ、２ｂが構成する二等辺三角形の頂点の角度を調整することで、側面脚部３ａ、３ｂ間の幅を、使用クラブのパターヘッドの大きさに伸縮出来る。
・  パッティングマットや地面に置く形状にする為、側面脚部３ａ、３ｂ間の幅を調整した際、傾いた側面脚部の底面が地面に全て接地するよう角度調整を可能にする
・  後方脚部、側面脚部、支持棒のいずれも接続部にネジ部材を使用することで、容易に角度調節、幅の伸縮を可能なものに形成することができ、組立て分解が簡単で、持ち運びが容易である。
・  本考案を目標点に対して垂直に置き、支持棒の真下にボール中心とパターヘッドの中心を置き、ボールの垂直線上に目がくるようにアドレスし、支持棒と側面脚部に沿ってストロークすることで、前記述のボールの垂直線上に目がくるようにアドレスする、パターヘッドの中心が目標点とボールを結ぶ延長線上からずれることなくストロークすることが出来る。
・  構造の保持が可能であるなら、どのような材質でも作成可能であり、全ての部分の幅、厚み、長さは任意である。
【発明の効果】
【０００６】
本考案を使用するとパッティングストロークの不備が使用者に容易にわかりストロ−クの修正が可能で、パッティングの正確度を向上できる。
【図面の簡単な説明】
【０００７】
【図１】本考案のパッティング練習器具の構成図
【図２】本考案の使用説明図
【発明を実施するための形態】
【０００８】
本発明のパティング練習器具の構成を図１で説明する。
本発明は、長尺状の２つの後方脚部２ａ、２ｂを等辺とし、それら後方脚部２ａ、２ｂの一端同士をネジ部材４で接続した接続部を頂点２ａｂ−１し、後方脚部２ａ、２ｂの他端を、夫々後方脚部底辺端部２ａ−１、２ｂ-１として二等辺三角形を構成する後方脚部２と、その頂点２ａｂ−１と、後方脚部底辺端部２ａ−１、2ｂ−１に、後方脚部が構成する二等辺三角形の面とは直角方向に、夫々、ネジ部材４１、４２、４３で、側面脚部３より長い支持棒１と、長尺状の側面脚部３ａ、３ｂを相互に平行するように接続したパッティング練習器具であって、
側面脚部３ａと側面脚部３ｂのなす頂角を調整して、側面脚部３ａと側面脚部３ｂの開き具合を定めて、側面脚部を地面に置き、このパッティング練習器具を支持棒１がゴルフボールの飛ばす方向になるよう向きを定め、側面脚部３ａと側面脚部３ｂの間にボールを置き、パットヘッド７を側面脚部３ａと側面脚部３ｂに当たらないようにストロークすることによりパティングを練習するパティング練習器具である。
地面に設置する側面脚部３ａ、３ｂの長さは、支持棒１より、長くしており、パッティングの方向が分かり易くするとともに、側面脚部が地面にそって置き易くしている。
支持棒１は、頂点２ａｂ−１にて後方脚部２a、２bとネジ部材4１で伴締めして接続する。その頂点のネジ部材４１を締めなおすことで頂角を調整し、側面脚部３a、３b間の底辺の幅を使用クラブのパターヘッド７の大きさに合わせて伸縮させる。
後方脚部が構成する二等辺三角形の底辺の幅を合わせる事で、ストロークがずれた時、パターヘッド７が側面脚部３a、３bに当たり、ずれた事が認識しやすくなる。そのため、後方脚部２の高さは1ｃｍから１０ｃｍ程度にする。
本発明のパティング練習器具は、パッティングマットや地面に置いて使用する為、ネジ部材４１で幅の調整をした際に傾いた側面脚部をネジ部材４２、４３を締めなおすことで、底面が地面に全て接地するように角度調節を可能にする。
面脚部３ａ、３ｂ、後方脚部２ａ、２ｂ、支持棒１は、アクリル、プラスティック、金属なで構成する。
【０００９】
本発明の使用方法を図２に示す。
本発明のパティング練習器具を、地面に置き、後方脚部２ａ、２ｂを等辺とする二等辺三角形の頂点２ａｂ−１のネジ部材４１を調整することで、底辺の幅を使用クラブのパターヘッド７の大きさに合わせ地面に置き、支持棒の真上から見て、ボール６の中心とパターヘッド７の中心が支持棒の真下に重なるようにセットする。パターヘッド７の中心が支持棒からずれることなく、側面脚部に当たらないように支持棒１に沿ってストロークする。
支持棒に沿ってアドレスすることで、ボールの垂直線上に目が来るようにアドレスし、支持棒に沿ってストロークすることで、目標点とボールを結ぶ延長線上からずれることなくストローク出来る。また打ち出し方向に脚部を設けないことで、目標点までの距離分のストロークが出来、目標点までボールを転がすことが出来る為再現性は高くなる。
【００１０】
本発明は打ち出し方向に脚部を設けないこと、側面脚部間の幅の伸縮、後方脚部の角度調節が可能なこと、支持棒が側面脚部の長さより長いこと、支持棒に沿ってストロークすることが特徴であり、構造の保持が可能であるのならどのような材質でも構成可能である。又、後方脚部２a、２bと、側面脚部３a、３bにて支持棒１を支える事で、ボールを転がして、後方脚部の下から、側面脚部３a、３bの間に供給することが出来る。
各部分組み合わせで構成されているが、それも構造の保持が可能であるならば一体型にしても良い。支持棒１に沿ってストロークを行うので、支持棒１の長さは側面脚部よりも長い方が良い。また支持棒に、支持棒のさす方向にレーザー光線を発することができるレーザー光線発生器を設け、レーザ光線を目標に当てることで、目標を正確に捉える機能を付けると、有用なストローク練習である。
【産業上の利用可能性】
【００１１】
ゴルフのストロークのスキルを磨くことができるパッティング練習器具である。
【符号の説明】
【００１２】
１    支持棒
２    後方脚部
２a    後方脚部ａ
２ａ−１  後方脚部ａの底辺端
２b    後方脚部b
２ｂ−１  後方脚部ｂの底辺端
３  側面脚部
３a  側面脚部ａ
３b  側面脚部ｂ
４  ネジ部材
４１  支持棒１と後方脚部２a、２bを接続するネジ部材
４２  後方脚部２aと側面脚部３aを接続するネジ部材
４３  後方脚部２bと側面脚部３bを接続するネジ部材
５    パッティング練習器具
６    ゴルフボール
７    パットのヘッド
【図１】
2011083422.tif 000003
【図２】
2011083422.tif 000004